(57)【特許請求の範囲】
【請求項１】
ブックマークリストに登録された複数のサイトのタイトルまたはＵＲＬを表示する携帯電話機のブックマークリスト表示方法であって、
前回呼び出されたサイトのタイトルまたはＵＲＬが前記ブックマークリストの最上位に配置されるように、前記複数のサイトのタイトルまたはＵＲＬを並び替えるステップと、
並び替えられた順番で、前記複数のサイトのタイトルまたはＵＲＬを表示するステップと、を有し、
前記並び替えるステップは、前記ブックマークリストに登録されたサイトが呼び出された場合に、前回呼び出されたサイトのタイトルまたはＵＲＬが前記ブックマークリストの最上位に配置されるように、前記複数のサイトのタイトルまたはＵＲＬを並び替える
ブックマークリスト表示方法。
【請求項２】
ブックマークリストに登録された複数のサイトのタイトルまたはＵＲＬを表示する携帯電話機のブックマークリスト表示方法であって、
前回選択されたタイトルまたはＵＲＬが前記ブックマークリストの最上位に配置されるように、前記複数のサイトのタイトルまたはＵＲＬを並び替えるステップと、
並び替えられた順番で、前記複数のサイトのタイトルまたはＵＲＬを表示するステップと、を有し、
前記並び替えるステップは、前記ブックマークリストに登録されたサイトのタイトルまたはＵＲＬが選択された場合に、前回選択されたタイトルまたはＵＲＬが前記ブックマークリストの最上位に配置されるように、前記複数のサイトのタイトルまたはＵＲＬを並び替える
ブックマークリスト表示方法。
【請求項３】
ブックマークリストに登録された複数のサイトのタイトルまたはＵＲＬを表示する携帯電話機のブックマークリスト表示方法であって、
前回選択され所望の情報が取得されたタイトルまたはＵＲＬが前記ブックマークリストの最上位に配置されるように、前記複数のサイトのタイトルまたはＵＲＬを並び替えるステップと、
並び替えられた順番で、前記複数のサイトのタイトルまたはＵＲＬを表示するステップと、を有し、
前記並び替えるステップは、前記ブックマークリストに登録されたサイトのタイトルまたはＵＲＬが選択され所望の情報が取得された場合に、前回選択され所望の情報が取得されたタイトルまたはＵＲＬが前記ブックマークリストの最上位に配置されるように、前記複数のサイトのタイトルまたはＵＲＬを並び替える
ブックマークリスト表示方法。
【請求項４】
ブックマークリストに登録された複数のサイトのタイトルまたはＵＲＬを表示する携帯電話機であって、
前回呼び出されたサイトのタイトルまたはＵＲＬが前記ブックマークリストの最上位に配置されるように、前記複数のサイトのタイトルまたはＵＲＬを並び替える制御手段と、
並び替えられた順番で、前記複数のサイトのタイトルまたはＵＲＬを表示する表示手段と、を有し、
前記制御手段は、前記ブックマークリストに登録されたサイトが呼び出された場合に、前回呼び出されたサイトのタイトルまたはＵＲＬが前記ブックマークリストの最上位に配置されるように、前記複数のサイトのタイトルまたはＵＲＬを並び替える
携帯電話機。
【請求項５】
ブックマークリストに登録された複数のサイトのタイトルまたはＵＲＬを表示する携帯電話機であって、
前回選択されたタイトルまたはＵＲＬが前記ブックマークリストの最上位に配置されるように、前記複数のサイトのタイトルまたはＵＲＬを並び替える制御手段と、
並び替えられた順番で、前記複数のサイトのタイトルまたはＵＲＬを表示する表示手段と、を有し、
前記制御手段は、前記ブックマークリストに登録されたサイトのタイトルまたはＵＲＬが選択された場合に、前回選択されたタイトルまたはＵＲＬが前記ブックマークリストの最上位に配置されるように、前記複数のサイトのタイトルまたはＵＲＬを並び替える
携帯電話機。
【請求項６】
ブックマークリストに登録された複数のサイトのタイトルまたはＵＲＬを表示する携帯電話機であって、
前回選択され所望の情報が取得されたタイトルまたはＵＲＬが前記ブックマークリストの最上位に配置されるように、前記複数のサイトのタイトルまたはＵＲＬを並び替える制御手段と、
並び替えられた順番で、前記複数のサイトのタイトルまたはＵＲＬを表示する表示手段と、を有し、
前記制御手段は、前記ブックマークリストに登録されたサイトのタイトルまたはＵＲＬが選択され所望の情報が取得された場合に、前回選択され所望の情報が取得されたタイトルまたはＵＲＬが前記ブックマークリストの最上位に配置されるように、前記複数のサイトのタイトルまたはＵＲＬを並び替える
携帯電話機。
【発明の詳細な説明】
【０００１】
【発明の属する技術分野】
本発明は、非音声情報通信モード（例えばｉモード）機能を有する携帯電話機におけるＵＲＬ表示方法及び該表示方法を用いた携帯電話機に関し、特にブックマーク登録されているサイトの選択を行なった場合に、次回のブックマーク一覧表示では前回選択したサイトのタイトル又はＵＲＬ表示が画面最上位に来させるようにしたものである。なお、非音声情報通信モードとは、デジタル携帯電話機を使用したオンラインデータサービスの動作モードのことで、センターに登録されているサイト（番組）接続サービスや、インターネット接続サービス、メッセージサービス、ｉモードメールなどが利用できるものである。
【０００２】
【従来の技術】
従来、非音声情報通信モード機能を有する携帯電話機において、ブックマーク「Bookmark」の動作モードを起動してブックマーク一覧を表示させ、「Bookmark(ブックマーク)」に登録されているサイト（番組）を呼び出すためには、図６のような「Bookmark(ブックマーク)」一覧が表示されているときに、呼び出したいサイト（番組）又はＵＲＬ（Uniform Resource Locator）を選択することにより、サイト又はＵＲＬに接続することができる。
【０００３】
ここにおいて「サイト（番組）」はタイトル名で表示されており、非音声情報通信モード機能を有する携帯電話機（デジタル携帯電話機）を使ってオンラインでデータが閲覧できるサービスの動作モードで、例えばサイトに接続して株価情報や各種催し情報や天気情報を取得することができる。
【０００４】
ところで従来の非音声情報通信モード機能付き携帯電話機において、一旦「Bookmark(ブックマーク)」に登録されたサイト（番組）の画面表示位置は固定されており、図６のような「Bookmark(ブックマーク)」一覧が表示されている場合には、次回の「Bookmark(ブックマーク)」一覧の表示によっても表示位置は変化することはなかった。
【０００５】
したがって、図６（ａ）に示されるようなサイト（番組）「株価」は、ナビゲーションキーを倒すこなく接続することができるが、図６（ｂ）に示されるようなサイト（番組）「天気」を選択するにはナビゲーションキーを操作して「天気」が表示されている位置に移動させなければならないという煩雑さがあるという問題点があった。
【０００６】
【課題を解決するための手段】
本発明のブックマークリスト表示方法は、ブックマークリストに登録された複数のサイトのタイトルまたはＵＲＬを表示する携帯電話機のブックマークリスト表示方法であって、前回呼び出されたサイトのタイトルまたはＵＲＬが前記ブックマークリストの最上位に配置されるように、前記複数のサイトのタイトルまたはＵＲＬを並び替えるステップと、並び替えられた順番で、前記複数のサイトのタイトルまたはＵＲＬを表示するステップと、を有し、前記並び替えるステップは、前記ブックマークリストに登録されたサイトが呼び出された場合に、前回呼び出されたサイトのタイトルまたはＵＲＬが前記ブックマークリストの最上位に配置されるように、前記複数のサイトのタイトルまたはＵＲＬを並び替える。また本発明のブックマークリスト表示方法は、ブックマークリストに登録された複数のサイトのタイトルまたはＵＲＬを表示する携帯電話機のブックマークリスト表示方法であって、前回選択されたタイトルまたはＵＲＬが前記ブックマークリストの最上位に配置されるように、前記複数のサイトのタイトルまたはＵＲＬを並び替えるステップと、並び替えられた順番で、前記複数のサイトのタイトルまたはＵＲＬを表示するステップと、を有し、前記並び替えるステップは、前記ブックマークリストに登録されたサイトのタイトルまたはＵＲＬが選択された場合に、前回選択されたタイトルまたはＵＲＬが前記ブックマークリストの最上位に配置されるように、前記複数のサイトのタイトルまたはＵＲＬを並び替える。また本発明のブックマークリスト表示方法は、ブックマークリストに登録された複数のサイトのタイトルまたはＵＲＬを表示する携帯電話機のブックマークリスト表示方法であって、前回選択され所望の情報が取得されたタイトルまたはＵＲＬが前記ブックマークリストの最上位に配置されるように、前記複数のサイトのタイトルまたはＵＲＬを並び替えるステップと、並び替えられた順番で、前記複数のサイトのタイトルまたはＵＲＬを表示するステップと、を有し、前記並び替えるステップは、前記ブックマークリストに登録されたサイトのタイトルまたはＵＲＬが選択され所望の情報が取得された場合に、前回選択され所望の情報が取得されたタイトルまたはＵＲＬが前記ブックマークリストの最上位に配置されるように、前記複数のサイトのタイトルまたはＵＲＬを並び替える。これらの構成により、ブックマーク登録されているサイトの選択を行なった場合に、次回のブックマーク一覧表示では前回選択したサイトのタイトル又はＵＲＬ表示が画面最上位に来させることができる。
【０００７】
【課題を解決するための手段】
本発明の請求項１記載の発明は、非音声情報通信が可能な携帯電話機において、ブックマークの動作モードを起動してブックマーク一覧を表示させ、一覧表示の中から所望のサイト又はＵＲＬを選択して所望の情報を取得した場合、次回に前記ブックマーク一覧を表示させたときに前回選択したサイトのタイトル又はＵＲＬの表示が画面最上位に来させるようにしたことを特徴とする携帯電話機におけるＵＲＬ表示方法としたものである。この構成により、ブックマーク登録されているサイトの選択を行なった場合に、次回のブックマーク一覧表示では前回選択したサイトのタイトル又はＵＲＬ表示が画面最上位に来させることができる。
【０００８】
また、本発明の携帯電話機は、ブックマークリストに登録された複数のサイトのタイトルまたはＵＲＬを表示する携帯電話機であって、前回呼び出されたサイトのタイトルまたはＵＲＬが前記ブックマークリストの最上位に配置されるように、前記複数のサイトのタイトルまたはＵＲＬを並び替える制御手段と、並び替えられた順番で、前記複数のサイトのタイトルまたはＵＲＬを表示する表示手段と、を有し、前記制御手段は、前記ブックマークリストに登録されたサイトが呼び出された場合に、前回呼び出されたサイトのタイトルまたはＵＲＬが前記ブックマークリストの最上位に配置されるように、前記複数のサイトのタイトルまたはＵＲＬを並び替える。また、本発明の携帯電話機は、ブックマークリストに登録された複数のサイトのタイトルまたはＵＲＬを表示する携帯電話機であって、前回選択されたタイトルまたはＵＲＬが前記ブックマークリストの最上位に配置されるように、前記複数のサイトのタイトルまたはＵＲＬを並び替える制御手段と、並び替えられた順番で、前記複数のサイトのタイトルまたはＵＲＬを表示する表示手段と、を有し、前記制御手段は、前記ブックマークリストに登録されたサイトのタイトルまたはＵＲＬが選択された場合に、前回選択されたタイトルまたはＵＲＬが前記ブックマークリストの最上位に配置されるように、前記複数のサイトのタイトルまたはＵＲＬを並び替える。また、本発明の携帯電話機は、ブックマークリストに登録された複数のサイトのタイトルまたはＵＲＬを表示する携帯電話機であって、前回選択され所望の情報が取得されたタイトルまたはＵＲＬが前記ブックマークリストの最上位に配置されるように、前記複数のサイトのタイトルまたはＵＲＬを並び替える制御手段と、並び替えられた順番で、前記複数のサイトのタイトルまたはＵＲＬを表示する表示手段と、を有し、前記制御手段は、前記ブックマークリストに登録されたサイトのタイトルまたはＵＲＬが選択され所望の情報が取得された場合に、前回選択され所望の情報が取得されたタイトルまたはＵＲＬが前記ブックマークリストの最上位に配置されるように、前記複数のサイトのタイトルまたはＵＲＬを並び替える。これらの構成により、簡単な操作で所望のサイト又はＵＲＬの情報を得ることができる。
【０００９】
【発明の実施の形態】
以下、本発明の実施の形態について、図１から図６を用いて説明する。図１は、本発明の実施の形態に係る非音声情報通信モード（例えばｉモード）機能を備える携帯電話機の構造を示す概略図である。図１において本発明の実施の形態に係る携帯電話機は、アンテナ１と、着信／充電ランプ２と、受話器３と、液晶表示器４と、電話帳ボタンを兼ねる左ソフトキー５と、通話開始ボタン６と、テンキー又はダイヤルキー７と、非音声情報通信モードにワープさせるワープキー８と、送話器９と、外部接続端子10と、ボイス／マナーキー11と、電源／終了／応答保留キー12と、リダイヤル／クリアボタンを兼ねる右ソフトキー13と、スクロール機能を兼ねて上下左右の各方向に表示を選択することができ、中心のボタンを押すことにより選択決定を行なうナビゲーションキー14と、イヤホンマイク端子15と、赤外線ポート16とを備えるようにしてある。
【００１０】
図２は上記構成の携帯電話機を実現するための回路ブロックを示すものである。図２において携帯電話機は、アンテナ１で受信した電波は無線通信部18の受信部（図示せず）で受けて、受信情報を制御部20に伝える。制御部20は受信した電話番号などの受信情報を液晶表示装置などの表示部４に表示する。また制御部20は受信情報を音声情報に変換して受話部のスピーカ（受話器）３で音声出力する。また送話器（マイク）９は利用者の音声を受けて制御部20に伝え、無線通信部18の送信部（図示せず）とアンテナ１により通話相手先に無線送信する。
【００１１】
制御部20はメモリ26に通話中の通話内容などの音声情報を記憶させ、あるいは記憶してある情報を読み出すようにしている。テンキー操作部22はテンキー７の操作によってダイヤル信号などを制御部20に入力し、またテンキー以外の機能キー操作部24は操作された機能キー、例えばナビゲーションキー14の操作を制御部20に入力するものである。また、赤外線入出力部28は赤外線ポート16を介して赤外線信号のやり取りを行なう。
【００１２】
また制御部20はブックマークの動作モードが起動され、表示部４に表示されたブックマークの一覧表の中から所望のサイト又はＵＲＬが選択され所望の情報が取得された場合には、次回にブックマークの一覧表を表示させるときには前回選択されたサイト又はＵＲＬの表示が画面最上位に来るように制御している。これらの回路ブロックは、図１の筺体内に収納されている。
【００１３】
図３は上記構成の携帯電話機の表示部において、待受け時に表示されるアイコン画面の例を示している。この例においては、十字型にアイコン画面が表示されるようになっており、上から時計廻りにｉモードメインアイコン、ｉモードメールアイコン、電話帳アイコン、スクリーンアイコン、そして真中にメニューアイコンがそれぞれ表示され、選択されたアイコン画面が拡大表示されて、現在どのアイコン画面が選択されているかが分かるようになっている。
【００１４】
図４は本発明の実施形態を説明するための携帯電話機の表示画面の遷移を示すものである。本実施形態の携帯電話機において「Bookmark(ブックマーク)」を呼び出すためには、図４（ａ）に示されるようなアイコン画面上で、「ｉモード」アイコンを選択することで「ｉモードメイン」画面を表示し、ナビゲションキー14の上方又は下方のスクロールキーを倒すことによって呼び出したいサイト又はＵＲＬ（Uniform Resource Locator）を呼び出す。
【００１５】
これにより図４（ｂ）のような「Bookmark(ブックマーク)」一覧が表示されることになる。そして、ユーザが呼び出したい「サイト（番組）」又はＵＲＬ（Uniform Resource Locator）をナビキー14の上方又は下方のスクロールキーによって呼び出す。図４（ｂ）においてナビキー14の上方又は下方のスクロールキーを何も操作しなければ、画面表示の一番上にある反転表示された「天気」を呼び出すことができる。
【００１６】
ここにおいて「サイト（番組）」はタイトル名で表示され、非音声情報通信モード（例えばｉモード）機能を有する携帯電話機（デジタル携帯電話機）を使って登録サイトに接続して株価情報や各種催し情報を取得することができる。
【００１７】
いま、ユーザが呼び出したい「サイト（番組）」が図４（ｃ）のような「プロ野球速報」であるとした場合、ナビキー14の上方又は下方のスクロールキーを倒して選択し、その後にナビキー14の決定キーによって選択を確定する。これによって目的の「サイト（番組）」である「プロ野球速報」に接続することが可能となる。
【００１８】
以上の説明で「サイト（番組）」への接続は完了するのであるが、本実施形態の携帯電話機においては、「Bookmark(ブックマーク)」一覧で目的の「サイト（番組）」が一度び呼び出された場合には、次回の「Bookmark(ブックマーク)」一覧において前回呼び出された「サイト（番組）」が図４（ｄ）に示されるように表示画面の最上位に来させるようにしたことを特徴とするものである。
【００１９】
ここで、前回呼び出された「サイト（番組）」のタイトルを表示画面の最上位に来させるためには、図２において制御部20は、「Bookmark(ブックマーク)」一覧の表示を制御する「Bookmark(ブックマーク)」一覧表示制御プログラムを起動させる。起動の際に、「Bookmark(ブックマーク)」一覧表示制御プログラムは、「Bookmark(ブックマーク)」一覧表示において、ブックマーク登録されているサイトを記憶しているメモリ26の所定エリアに格納されている最新アクセス日時をキーにソート（並び替え）して、最新のアクセス順に「Bookmark(ブックマーク)」一覧表示を変更して表示するように制御する。これにより頻繁に呼び出されることが多いサイト（番組）は呼び出し／接続操作が簡単になり、ユーザにとって使い勝手が良いものとなるという優れた効果が得られる。
【００２０】
図５は、前回呼び出された「サイト（番組）」のタイトルを表示画面の最上位に来させるための動作を説明するフローチャートである。図５において上記した「Bookmark(ブックマーク)」一覧表示制御プログラムはメモリ26内のブックマーク保存エリアを最新アクセス順に並び替えと共に読み出して画面表示する（ステップ51）。次ぎに、目的とする（所望の）サイト又はＵＲＬが有るか否かが判別される（ステップ52）。目的とするサイト又はＵＲＬが有れば、これを指示することによって自動的に目的とするサイト又はＵＲＬに接続する（ステップ53）。また、ステップ52で目的とするサイト又はＵＲＬが無ければ、ブックマーク入力モードを選んで新規サイト又はＵＲＬを入力する（ステップ54）。次いで、新規サイト又はＵＲＬをブックマーク保存エリアに入力すると共にエリア不足の場合には旧いブックマークに上書きする（ステップ55）。
【００２１】
【発明の効果】
以上説明したように本発明のブックマークリスト表示方法は、ブックマークリストに登録された複数のサイトのタイトルまたはＵＲＬを表示する携帯電話機のブックマークリスト表示方法であって、前回呼び出されたサイトのタイトルまたはＵＲＬが前記ブックマークリストの最上位に配置されるように、前記複数のサイトのタイトルまたはＵＲＬを並び替えるステップと、並び替えられた順番で、前記複数のサイトのタイトルまたはＵＲＬを表示するステップと、を有し、前記並び替えるステップは、前記ブックマークリストに登録されたサイトが呼び出された場合に、前回呼び出されたサイトのタイトルまたはＵＲＬが前記ブックマークリストの最上位に配置されるように、前記複数のサイトのタイトルまたはＵＲＬを並び替える。また本発明のブックマークリスト表示方法は、ブックマークリストに登録された複数のサイトのタイトルまたはＵＲＬを表示する携帯電話機のブックマークリスト表示方法であって、前回選択されたタイトルまたはＵＲＬが前記ブックマークリストの最上位に配置されるように、前記複数のサイトのタイトルまたはＵＲＬを並び替えるステップと、並び替えられた順番で、前記複数のサイトのタイトルまたはＵＲＬを表示するステップと、を有し、前記並び替えるステップは、前記ブックマークリストに登録されたサイトのタイトルまたはＵＲＬが選択された場合に、前回選択されたタイトルまたはＵＲＬが前記ブックマークリストの最上位に配置されるように、前記複数のサイトのタイトルまたはＵＲＬを並び替える。また本発明のブックマークリスト表示方法は、ブックマークリストに登録された複数のサイトのタイトルまたはＵＲＬを表示する携帯電話機のブックマークリスト表示方法であって、前回選択され所望の情報が取得されたタイトルまたはＵＲＬが前記ブックマークリストの最上位に配置されるように、前記複数のサイトのタイトルまたはＵＲＬを並び替えるステップと、並び替えられた順番で、前記複数のサイトのタイトルまたはＵＲＬを表示するステップと、を有し、前記並び替えるステップは、前記ブックマークリストに登録されたサイトのタイトルまたはＵＲＬが選択され所望の情報が取得された場合に、前回選択され所望の情報が取得されたタイトルまたはＵＲＬが前記ブックマークリストの最上位に配置されるように、前記複数のサイトのタイトルまたはＵＲＬを並び替える。これらの構成により、ブックマーク登録されているサイトの選択を行なった場合に、次回のブックマーク一覧表示では前回選択したサイトのタイトル又はＵＲＬ表示が画面最上位に来させることができるという効果を有する。
【００２２】
また、本発明の携帯電話機は、ブックマークリストに登録された複数のサイトのタイトルまたはＵＲＬを表示する携帯電話機であって、前回呼び出されたサイトのタイトルまたはＵＲＬが前記ブックマークリストの最上位に配置されるように、前記複数のサイトのタイトルまたはＵＲＬを並び替える制御手段と、並び替えられた順番で、前記複数のサイトのタイトルまたはＵＲＬを表示する表示手段と、を有し、前記制御手段は、前記ブックマークリストに登録されたサイトが呼び出された場合に、前回呼び出されたサイトのタイトルまたはＵＲＬが前記ブックマークリストの最上位に配置されるように、前記複数のサイトのタイトルまたはＵＲＬを並び替える。また、本発明の携帯電話機は、ブックマークリストに登録された複数のサイトのタイトルまたはＵＲＬを表示する携帯電話機であって、前回選択されたタイトルまたはＵＲＬが前記ブックマークリストの最上位に配置されるように、前記複数のサイトのタイトルまたはＵＲＬを並び替える制御手段と、並び替えられた順番で、前記複数のサイトのタイトルまたはＵＲＬを表示する表示手段と、を有し、前記制御手段は、前記ブックマークリストに登録されたサイトのタイトルまたはＵＲＬが選択された場合に、前回選択されたタイトルまたはＵＲＬが前記ブックマークリストの最上位に配置されるように、前記複数のサイトのタイトルまたはＵＲＬを並び替える。また、本発明の携帯電話機は、ブックマークリストに登録された複数のサイトのタイトルまたはＵＲＬを表示する携帯電話機であって、前回選択され所望の情報が取得されたタイトルまたはＵＲＬが前記ブックマークリストの最上位に配置されるように、前記複数のサイトのタイトルまたはＵＲＬを並び替える制御手段と、並び替えられた順番で、前記複数のサイトのタイトルまたはＵＲＬを表示する表示手段と、を有し、前記制御手段は、前記ブックマークリストに登録されたサイトのタイトルまたはＵＲＬが選択され所望の情報が取得された場合に、前回選択され所望の情報が取得されたタイトルまたはＵＲＬが前記ブックマークリストの最上位に配置されるように、前記複数のサイトのタイトルまたはＵＲＬを並び替える。これらの構成により、簡単な操作で所望のサイト又はＵＲＬの情報を得ることができるという効果を有する。
【図面の簡単な説明】
【図１】本発明の実施形態に係る携帯電話機の構成を示す正面図、
【図２】図１の携帯電話機を実現するための回路ブロックを示す図、
【図３】図１の携帯電話機の表示部において、待受け時に表示されるアイコン画面の例、
【図４】本発明の実施形態を説明するための携帯電話機の表示画面の遷移を示す図、
【図５】前回呼び出された「サイト（番組）」のタイトルを表示画面の最上位に来させるための動作を説明するフローチャート、
【図６】従来の携帯電話機におけるブックマーク一覧表示画面を示す図である。
【符号の説明】
１  アンテナ
２  着信／充電ランプ
３  受話器
４  液晶表示器
５  左ソフトキー
６  通話開始キー
７  テンキー
８  ワープキー
９  送話器
10  外部接続端子
11  ボイス／マナーキー
12  電源／終了／応答保留キー
13  右ソフトキー
14  ナビゲーションキー
15  イヤホンマイク端子
16  赤外線ポート
18  無線通信部
20  制御部
22  テンキー操作部
24  機能キー操作部
26  メモリ
28  赤外線入出力部
【図１】
0004498523.tif 000002
【図２】
0004498523.tif 000003
【図３】
0004498523.tif 000004
【図４】
0004498523.tif 000005
【図５】
0004498523.tif 000006
【図６】
0004498523.tif 000007